【手続補正書】
【提出日】平成22年6月21日(2010.6.21)
【手続補正１】
【補正対象書類名】特許請求の範囲
【補正対象項目名】請求項１
【補正方法】変更
【補正の内容】
【請求項１】
ライブビュー画像を表示するための動画撮影を行うとともに、シャッターボタンによる撮影指示を入力すると、静止画の本撮影を行う撮像手段と、
前記撮像手段によって本撮影された今回の撮影画像を記録媒体に記録する記録手段と、
前記記録媒体から過去に撮影された所定枚数の画像を抽出する画像抽出手段と、
前記本撮影された今回の撮影画像と、前記抽出された所定枚数の画像の縮小画像とを使用して、最後に撮影された画像の縮小画像に続いて今回の撮影画像の縮小画像が追加される様子をアニメーションで表示するためのアニメーション動画を作成する動画作成手段と、
静止画又は動画を表示する表示手段と、
前記表示手段に前記撮像手段によって動画撮影されたライブビュー画像を表示させるとともに、本撮影が実施される毎に前記動画作成手段によって作成されたアニメーション動画を表示させる表示制御手段と、を備え、
前記動画作成手段は、
前記本撮影された今回の撮影画像を前記アニメーション動画の背景画像として使用し、前記表示手段の予め設定されたＮコマ分の縮小画像の表示領域のうちの１コマ目からＮ−１コマ目の表示領域に過去に撮影された画像の縮小画像を表示させ、今回の撮影画像を徐々に縮小及び移動させて前記Ｎコマ目の表示領域に嵌め込むアニメーション動画を作成することを特徴とする撮像装置。
【手続補正２】
【補正対象書類名】明細書
【補正対象項目名】０００３
【補正方法】変更
【補正の内容】
【０００３】
ところで、このようなカメラで撮影を行う場合、液晶モニタにはライブビュー画像が表示され、このライブビュー画像の表示中に行われたシャッタレリーズ操作に応じて画像データの保存が行われる。このとき液晶モニタには、レリーズ操作時に撮影された静止画が撮影直後の一定期間（例えば１．５秒、または３秒）表示され、この静止画像表示（以下、「ポストビュー画像」という）により撮影された静止画の確認を可能にし、その後ポストビュー画像から再びライブビュー画像に切り替えられる。
【手続補正３】
【補正対象書類名】明細書
【補正対象項目名】０００４
【補正方法】変更
【補正の内容】
【０００４】
しかしながら、デジタルカメラの初心者や不慣れなユーザにとっては、このポストビュー画像が何を意味しているのか理解しにくいことがあった。
【手続補正４】
【補正対象書類名】明細書
【補正対象項目名】０００５
【補正方法】変更
【補正の内容】
【０００５】
また、例えば風景などのような静止しているものを撮影した場合には、ライブビュー画像からポストビュー画像に切り替わっても区別がつきにくく、正常に撮影が行われたのかどうかユーザが認識しにくいという問題があった。
【手続補正５】
【補正対象書類名】明細書
【補正対象項目名】０００９
【補正方法】変更
【補正の内容】
【０００９】
しかしながら、特許文献１に記載の発明は、フイルム枠又は指示枠を移動させるダイアルが、再生モードと撮影モードとを切り替える機能をもつことになり、また、指示枠が空き領域を囲んでいる（撮影モードに切り替わっている）ときに、シャッターボタンが操作されて撮影が実施されると、撮影画像のサムネイル画像が指示枠で示された空き領域に嵌め込まれ、その結果、ユーザは撮影が実施され、画像が保存されたことを確認することができるが、この場合、指示枠が撮影画像のサムネイル画像枠を囲むこととなり、自動的に再生モードに切り替えることになる。
【手続補正６】
【補正対象書類名】明細書
【補正対象項目名】００１０
【補正方法】変更
【補正の内容】
【００１０】
即ち、引用文献１に記載の発明は、撮影モードでの撮影後に自動的に再生モードに切り替えるため、撮影直後のポストビュー画像を確認することができるが、再度、指示枠が空き領域を囲むように、ダイアル操作によってフイルム枠又は指示枠を移動させなければ（撮影モードに切り替えなければ）、次の撮影を行うことができないという問題がある。
【手続補正７】
【補正対象書類名】明細書
【補正対象項目名】００１２
【補正方法】変更
【補正の内容】
【００１２】
前記目的を達成するために請求項１に係る撮像装置は、ライブビュー画像を表示するための動画撮影を行うとともに、シャッターボタンによる撮影指示を入力すると、静止画の本撮影を行う撮像手段と、前記撮像手段によって本撮影された今回の撮影画像を記録媒体に記録する記録手段と、前記記録媒体から過去に撮影された所定枚数の画像を抽出する画像抽出手段と、前記本撮影された今回の撮影画像と、前記抽出された所定枚数の画像の縮小画像とを使用して、最後に撮影された画像の縮小画像に続いて今回の撮影画像の縮小画像が追加される様子をアニメーションで表示するためのアニメーション動画を作成する動画作成手段と、静止画又は動画を表示する表示手段と、前記表示手段に前記撮像手段によって動画撮影されたライブビュー画像を表示させるとともに、本撮影が実施される毎に前記動画作成手段によって作成されたアニメーション動画を表示させる表示制御手段と、を備え、前記動画作成手段は、前記本撮影された今回の撮影画像を前記アニメーション動画の背景画像として使用し、前記表示手段の予め設定されたＮコマ分の縮小画像の表示領域のうちの１コマ目からＮ−１コマ目の表示領域に過去に撮影された画像の縮小画像を表示させ、今回の撮影画像を徐々に縮小及び移動させて前記Ｎコマ目の表示領域に嵌め込むアニメーション動画を作成することを特徴としている。
【手続補正８】
【補正対象書類名】明細書
【補正対象項目名】００４３
【補正方法】変更
【補正の内容】
【００４３】
通信部１６は、撮像装置１が外部と通信するための手段である。通信方式として、有線通信、無線通信、光通信などを必要に応じて使用することが出来る。また通信プロトコルも必要に応じて選択可能である。通信部１６は外部に情報を送信できる他、外部からの情報を受信することが出来る。
【手続補正９】
【補正対象書類名】明細書
【補正対象項目名】００４６
【補正方法】変更
【補正の内容】
【００４６】
画像効果制御部２０は、ライブビュー画像又は撮影画像（ポストビュー画像）に、画像記録部１２に記録された最新の４コマ分の画像の縮小画像（サムネイル画像）を重畳表示させるための機能と、前記撮影画像と４コマ分の縮小画像とを動画作成の素材として使用し、本発明に係るアニメーション動画を作成する機能（動画作成機能）とを備えている。尚、画像効果制御部２０の詳細、及び動画作成機能によって作成されたアニメーション動画の詳細については後述する。
【手続補正１０】
【補正対象書類名】明細書
【補正対象項目名】００６１
【補正方法】変更
【補正の内容】
【００６１】
最終縮小画像挿入制御部２０ｆは、新たに撮影が行われると、表示領域Ｐ１〜Ｐ４に空き領域がある場合には、撮影画像を徐々に縮小させるとともに、縮小位置を移動させながら最後の縮小画像に続く空き領域に挿入する第１のアニメーション動画を作成する。一方、表示領域Ｐ１〜Ｐ４に空き領域がない場合には、表示領域Ｐ４を空けるために１コマ分だけ一列の縮小画像を移動させる第２のアニメーション動画を作成する。
【手続補正１１】
【補正対象書類名】明細書
【補正対象項目名】００６２
【補正方法】変更
【補正の内容】
【００６２】
表示用画像制御部２０ｄは、画像合成部２０ｂにより合成された画像を表示部１８に表示させるとともに、最終縮小画像挿入制御部２０ｆによって作成された第１のアニメーション動画、又は第１のアニメーション動画と第２のアニメーション動画を表示部１８に表示させる。
【手続補正１２】
【補正対象書類名】明細書
【補正対象項目名】００７０
【補正方法】変更
【補正の内容】
【００７０】
また、上記撮影処理と並行して処理後の撮影画像を表示部１８の画面全面に表示させる（ステップＳ２４、図６（Ｂ））。撮影画像は、ポストビュー画像として所定時間（例えば、１秒程度）表示される。
【手続補正１３】
【補正対象書類名】明細書
【補正対象項目名】００７１
【補正方法】変更
【補正の内容】
【００７１】
ポストビュー画像の表示後、続いて撮影画像に、ステップＳ１０で取得した縮小画像を重畳して縦一列に表示させる（ステップＳ２６、図６（Ｃ））。
【手続補正１４】
【補正対象書類名】明細書
【補正対象項目名】００７２
【補正方法】変更
【補正の内容】
【００７２】
次に、ステップＳ１０で取得した縮小画像のコマ数がＮコマ未満か否かを判別する（ステップＳ２８）。取得した縮小画像のコマ数がＮコマ未満の場合には、図４で説明したように縮小画像の表示領域に空き領域があるため、縮小画像の列の最後に撮影画像を徐々に縮小させるとともに、縮小位置を移動させながら嵌め込むアニメーション動画（第１のアニメーション動画）を表示する（ステップＳ３０、図６（Ｃ））。
【手続補正１５】
【補正対象書類名】明細書
【補正対象項目名】００７５
【補正方法】変更
【補正の内容】
【００７５】
尚、図５のステップＳ２４は省略してもよい。この場合には、図６（Ｂ）の撮影画像（ポストビュー画像）の表示は行われない。ただし、図６（Ｃ）に示すようにアニメーション動画の背景画像には、撮影画像が表示されているため、ここで撮影画像の確認ができる。
【手続補正１６】
【補正対象書類名】明細書
【補正対象項目名】００７７
【補正方法】変更
【補正の内容】
【００７７】
図７は撮影画像（ポストビュー画像）の表示からアニメーション動画の表示が終了するまでの表示画像の画面遷移を示す図である。
【手続補正１７】
【補正対象書類名】明細書
【補正対象項目名】００７９
【補正方法】変更
【補正の内容】
【００７９】
次に、図７（Ｄ）〜図７（Ｈ）に示すように、撮影画像を徐々に縮小させるとともに、縮小位置を移動させ、確保した空き領域に新たに撮影された画像の縮小画像を嵌め込む第１のアニメーション動画が表示される。
【手続補正１８】
【補正対象書類名】明細書
【補正対象項目名】００８３
【補正方法】変更
【補正の内容】
【００８３】
即ち、第１の実施の形態では、ポストビュー画像の表示後にアニメーション動画を表示する際に、アニメーション動画の背景画像として撮影画像が使用されているが、第２の実施の形態では、アニメーション動画の背景画像としてライブビュー画像を使用する点で相違する。
【手続補正１９】
【補正対象書類名】明細書
【補正対象項目名】００８４
【補正方法】変更
【補正の内容】
【００８４】
図８に示すように、ステップＳ２４のポストビュー画像の表示が終了すると、ライブビュー画像の取得を開始する（ステップＳ４０）。続いて、ライブビュー画像に、ステップＳ１０で取得した縮小画像を重畳して縦一列に表示させる（ステップＳ４２）。
【手続補正２０】
【補正対象書類名】明細書
【補正対象項目名】００９６
【補正方法】変更
【補正の内容】
【００９６】
また、表示部１８の画面がワイド画面の場合には、ライブビュー画像やポストビュー画像を表示する表示領域と、複数コマの縮小画像を表示する表示領域とを区分し、ライブビュー画像等に縮小画像が重畳表示されないようにしてもよい。